(57)【特許請求の範囲】
【請求項１】
複数のゲートライン及び複数のデータラインによって定義されるピクセル領域ごとに形成された液晶セルを含む液晶表示装置の駆動装置において、
外部から入力される元映像の動きベクターを検出するとともに、入力される前記元映像の一フレームを少なくとも２個の転換フレームに変換し、動きベクターによって前記各転換フレーム映像をフィルタリングして変調データを生成するデータ変換部と、
前記各ゲートラインにスキャン信号を供給するゲートドライバーと、
前記変調データをアナログビデオ信号に変換して前記各データラインに供給するデータドライバーと、
前記変調データを前記データドライバーに供給し、データ制御信号を生成して前記データドライバーを制御すると同時に、ゲート制御信号を生成して前記ゲートドライバーを制御するタイミングコントローラと、を具備し、
前記データ変換部は、
前記元映像を輝度成分と色差成分とに分離する輝度／色差分離部と、
前記輝度成分から前記動きベクターを検出するとともに、前記一フレームの輝度成分を少なくとも２個の転換フレームに変換し、前記動きベクターによって前記各転換フレーム映像をフィルタリングして変調された輝度成分を生成する映像変調部と、
前記映像変調部で前記変調された輝度成分を生成する間、前記色差成分を遅延させる遅延部と、
前記変調された輝度成分と前記遅延された色差成分とをミキシングして出力するミキシング部とを具備し、
前記映像変調部は、
前記輝度／色差分離部から供給されるフレーム単位の輝度成分を保存するメモリ部と、
前記輝度／色差分離部から供給されるフレーム単位の元映像の輝度成分を元映像と同一の第１及び第２転換フレームに転換して順次出力するダブルフレーム生成部と、
前記メモリ部から供給される元映像の以前フレームの輝度成分及び現在フレームの輝度成分を用いて前記動きベクターと動く表示映像の境界部を検出し、前記動きベクターの方向に動く前記動く表示映像の境界部の階調の勾配を設定するガウシアンフィルタ係数を設定し、前記動きベクターの方向に動く前記動く表示映像の境界部でアンダーシュートを発生するためのシャープネスフィルタ係数を設定し、前記動きベクターから動き大きさ信号を検出する動き検出部と、
前記動く表示映像の境界部が前記ガウシアンフィルタ係数によって勾配と、前記シャープネスフィルタ係数によってアンダーシュートを有するように、前記ガウシアンフィルタ係数を用いるガウシアンフィルタと、前記シャープネスフィルタ係数を用いるシャープネスフィルタ中、１個のフィルタを用いて前記第１転換フレームの輝度成分をフィルタリングし、前記第２転換フレームの輝度成分を残り１個のフィルタを用いてフィルタリングする、又は、前記ガウシアンフィルタ及び前記シャープネスフィルタを用いて前記第１及び第２転換フレームの輝度成分をそれぞれフィルタリングする動きフィルタ部と、
前記動きフィルタ部によってフィルタリングされた各転換フレームの輝度成分と前記動き大きさ信号とを掛け算して前記ミキシング部に供給する掛け算部と具備し、
前記ガウシアンフィルタ係数及び前記シャープネスフィルタ係数は、前記動きベクターの方向に動く前記動く表示映像の境界部の階調が高い階調から低い階調に変化する、又は、低い階調から高い階調に変化する階調変化によって異なるように設定される、ことを特徴とする液晶表示装置の駆動装置。
【請求項２】
前記データ変換部は、
前記元映像を逆ガンマ補正して前記輝度／色差分離部に出力する第１ガンマ補正部と、
前記ミキシング部からの出力データをガンマ補正して出力する第２ガンマ補正部と、をさらに具備することを特徴とする請求項１に記載の液晶表示装置の駆動装置。
【請求項３】
前記動き検出部は、
前記以前フレームの輝度成分と現在フレームの輝度成分とをｉ×ｉブロック単位で比較し、ｉ×ｉブロック単位で動きに対する前記動きベクターを検出するブロック動き検出部と、
前記現在フレームの輝度成分をピクセル別に比較してピクセル単位の階調変化を検出して前記動く表示映像の境界部を検出し、前記境界部の階調変化に対応する境界部階調分析信号を生成するピクセル別階調検出部と、
前記境界部階調分析信号によって前記ガウシアンフィルタ係数及び前記シャープネスフィルタ係数を設定するフィルタ係数設定部と、
前記動きベクター用いて前記動き大きさ信号を検出する動き大きさ検出部と、を具備することを特徴とする請求項１に記載の液晶表示装置の駆動装置。
【請求項４】
前記ピクセル別階調検出部は、前記境界部の階調が高い階調から低い階調に変化する場合、ハイ状態の境界部階調分析信号を生成し、前記境界部の階調が低い階調から高い階調に変化する場合、ロー状態の境界部階調分析信号を生成することを特徴とする請求項３に記載の液晶表示装置の駆動装置。
【請求項５】
前記フィルタ係数設定部は、
前記動きベクターを用いて動き方向信号を検出する動き方向検出部と、
前記動きベクターの方向に動く前記動く表示映像の境界部の勾配を設定するための前記ガウシアンフィルタ係数を、前記境界部の階調変化によって異なるように設定するガウシアンフィルタ係数設定部と、
前記動きベクターの方向に動く前記動く表示映像の境界部のアンダーシュートを設定するための前記シャープネスフィルタ係数を、前記境界部の階調変化によって異なるように設定するシャープネスフィルタ係数設定部と、
前記第１転換フレームまたは第２転換フレームを指示するフレーム制御信号によって、前記動き方向信号を前記ガウシアンフィルタ係数設定部に出力する又は前記シャープネスフィルタ係数設定部に出力する選択部と、を具備することを特徴とする請求項４に記載の液晶表示装置の駆動装置。
【請求項６】
前記フィルタ係数設定部は、
前記動きベクターを用いて動き方向信号を検出する動き方向検出部と、
前記動きベクターの方向に動く前記動く表示映像の境界部の勾配を設定するための前記ガウシアンフィルタ係数を、前記第１転換フレームまたは第２転換フレームを指示するフレーム制御信号フレーム制御信号と、前記境界部階調分析信号にしたがって異なるように設定するガウシアンフィルタ係数設定部と、
前記動きベクターの方向に動く前記動く表示映像の境界部のアンダーシュートを設定するための前記シャープネスフィルタ係数を、前記フレーム制御信号及び前記境界部階調分析信号にしたがって異なるように設定するシャープネスフィルタ係数設定部と、を具備することを特徴とする請求項４に記載の液晶表示装置の駆動装置。
【請求項７】
前記ガウシアンフィルタ係数設定部は、前記境界部階調分析信号にしたがって、前記動き方向信号に対応する方向に前記動く表示映像の境界部に隣接した少なくとも一つのピクセルの輝度成分を、前記ガウシアンフィルタ係数によって前記勾配を有するようにスムージングフィルタリングするための前記ガウシアンフィルタ係数を設定することを特徴とする請求項５または６に記載の液晶表示装置の駆動装置。
【請求項８】
前記ガウシアンフィルタ係数設定部は、
前記境界部階調分析信号がハイ状態である場合、前記境界部の以前の２ピクセルの輝度成分がスムージングフィルタリングされるように前記ガウシアンフィルタ係数を設定し、
前記境界部階調分析信号がロー状態である場合、前記境界部の以前の１ピクセルの輝度成分がスムージングフィルタリングされるように前記ガウシアンフィルタ係数を設定することを特徴とする請求項７に記載の液晶表示装置の駆動装置。
【請求項９】
前記シャープネスフィルタ係数設定部は、
前記境界部階調分析信号にしたがって、前記動き方向信号に対応する方向に前記動く表示映像の境界部に隣接した少なくとも一つのピクセルの輝度成分を、前記シャープネスフィルタ係数よって前記アンダーシュートを有するようにシャープネスフィルタリングするための前記シャープネスフィルタ係数を設定することを特徴とする請求項５または６に記載の液晶表示装置の駆動装置。
【請求項１０】
前記シャープネスフィルタ係数設定部は、
前記境界部階調分析信号がハイ状態である場合、前記境界部の以前の２ピクセルの輝度成分がシャープネスフィルタリングされるように前記シャープネスフィルタ係数を設定し、
前記境界部階調分析信号がロー状態である場合、前記境界部の以前の１ピクセルの輝度成分がシャープネスフィルタリングされるように前記シャープネスフィルタ係数を設定することを特徴とする請求項９に記載の液晶表示装置の駆動装置。
【請求項１１】
前記動きフィルタ部は、
前記第１転換フレーム及び前記第２転換フレーム中、１個の転換フレームの輝度成分を、前記ガウシアンフィルタ係数によって前記境界部が勾配を有するようにスムージングフィルタリングして前記掛け算部に供給するガウシアンフィルタと、
前記第１転換フレーム及び第２転換フレーム中、残り１個の転換フレームの輝度成分を、前記シャープネスフィルタ係数よって前記境界部がアンダーシュートを有するようにシャープネスフィルタリングして前記掛け算部に供給するシャープネスフィルタと、
前記フレーム制御信号によって前記第１及び第２転換フレームの輝度成分をガウシアンフィルタまたは前記シャープネスフィルタリングに出力する選択部と、を具備することを特徴とする請求項５に記載の液晶表示装置の駆動装置。
【請求項１２】
前記動きフィルタ部は、
前記各転換フレームの輝度成分を、前記ガウシアンフィルタ係数によって前記境界部が勾配を有するようにスムージングフィルタリングするガウシアンフィルタと、
前記ガウシアンフィルタによってフィルタリングされた前記各転換フレームの輝度成分を、前記シャープネスフィルタ係数よって前記境界部がアンダーシュートを有するようにシャープネスフィルタリングして前記掛け算部に供給するシャープネスフィルタと、を具備することを特徴とする請求項６に記載の液晶表示装置の駆動装置。
【請求項１３】
前記データ変換部は、以前フレームの変調データ及び現在フレームの変調データを用いて、前記変調データを液晶応答速度を迅速にするためのデータにさらに変調する高速駆動回路をさらに具備することを特徴とする請求項１ないし１２中、一つに記載の液晶表示装置の駆動装置。
【請求項１４】
映像を表示する映像表示部を有する液晶表示装置の駆動方法において、
外部から入力される元映像の動きベクターを検出するとともに、入力される前記元映像の一フレームを少なくとも２個の転換フレームに変換し、動きベクターによって前記各転換フレーム映像をフィルタリングして変調データを生成する第１段階と、
前記各ゲートラインにスキャン信号を供給する第２段階と、
前記スキャンパルスに同期するように前記変調データをアナログビデオ信号に変換して前記各データラインに供給する第３段階と、を含み、
前記第１段階は、
前記元映像を輝度成分と色差成分とに分離する段階と、
前記輝度成分から前記動きベクターを検出するとともに、前記一フレームの輝度成分を少なくとも２個の転換フレームに変換し、前記動きベクターによって前記各転換フレーム映像をフィルタリングして変調された輝度成分を生成する段階と、
前記映像変調部で前記変調された輝度成分を生成する間、前記色差成分を遅延させる段階と、
前記変調された輝度成分と前記遅延された色差成分とをミキシングして出力する段階と、を含み、
前記変調された輝度成分を生成する段階は、
前記分離された輝度成分フレーム単位で保存する段階と、
前記フレーム単位の元映像の輝度成分を元映像と同一の第１及び第２転換フレームに転換して順次出力する段階と、
前記元映像の以前フレームの輝度成分及び現在フレームの輝度成分を用いて前記動きベクターと動く表示映像の境界部を検出し、前記動きベクターの方向に動く前記動く表示映像の境界部の階調の勾配を設定するガウシアンフィルタ係数を設定し、前記動きベクターの方向に動く前記動く表示映像の境界部でアンダーシュートを発生するためのシャープネスフィルタ係数を設定し、前記動きベクターから動き大きさ信号を検出する動き検出段階と、
前記動く表示映像の境界部が前記ガウシアンフィルタ係数によって勾配と、前記シャープネスフィルタ係数によってアンダーシュートを有するように、前記ガウシアンフィルタ係数を用いるガウシアンフィルタと、前記シャープネスフィルタ係数を用いるシャープネスフィルタ中、１個のフィルタを用いて前記第１転換フレームの輝度成分をフィルタリングし、前記第２転換フレームの輝度成分を残り１個のフィルタを用いてフィルタリングする、又は、前記ガウシアンフィルタ及び前記シャープネスフィルタを用いて前記第１及び第２転換フレームの輝度成分をそれぞれフィルタリングする動きフィルタリング段階と、
前記動きフィルタ部によってフィルタリングされた各転換フレームの輝度成分と前記動き大きさ信号とを掛け算して前記変調された輝度成分を生成する段階と、を含み、
前記ガウシアンフィルタ係数及び前記シャープネスフィルタ係数は、前記動きベクターの方向に動く前記動く表示映像の境界部の階調が高い階調から低い階調に変化する、又は、低い階調から高い階調に変化する階調変化によって異なるように設定されることを特徴とする液晶表示装置の駆動方法。
【請求項１５】
前記第１段階は、
前記元映像を逆ガンマ補正して前記輝度／色差分離段階出力する段階と、
前記ミキシングされるデータをガンマ補正して前記変調データを生成する段階と、をさらに含むことを特徴とする請求項１４に記載の液晶表示装置の駆動方法。
【請求項１６】
前記動き検出段階は、
前記以前フレームの輝度成分と現在フレームの輝度成分とをｉ×ｉブロック単位で比較し、ｉ×ｉブロック単位で動きに対する前記動きベクター検出するブロック動き検出段階と、
前記現在フレームの輝度成分をピクセル別に比較してピクセル単位の階調変化を検出して前記動く表示映像の境界部を検出し、前記境界部の階調変化に対応する境界部階調分析信号を生成するピクセル別階調検出段階と、
前記境界部階調分析信号によって前記ガウシアンフィルタ係数及び前記シャープネスフィルタ係数を設定するフィルタ係数設定段階と、
前記動きベクターを用いて前記動き大きさ信号を検出する動き大きさ検出段階と、を含むことを特徴とする請求項１４に記載の液晶表示装置の駆動方法。
【請求項１７】
前記ピクセル別階調検出段階は、前記境界部の階調が高い階調から低い階調に変化する場合、ハイ状態の境界部階調分析信号を生成し、前記境界部の階調が低い階調から高い階調に変化する場合、ロー状態の境界部階調分析信号を生成することを特徴とする請求項１６に記載の液晶表示装置の駆動方法。
【請求項１８】
前記フィルタ係数設定段階は、
前記動きベクターを用いて動き方向信号を検出する動き方向検出段階と、
前記動きベクターの方向に動く前記動く表示映像の境界部の勾配を設定するための前記ガウシアンフィルタ係数を、前記境界部の階調変化によって異なるように設定するガウシアンフィルタ係数設定段階と、
前記動きベクターの方向に動く前記動く表示映像の境界部のアンダーシュートを設定するための前記シャープネスフィルタ係数を、前記境界部の階調変化によって異なるように設定するシャープネスフィルタ係数設定段階と、
前記第１転換フレームまたは第２転換フレームを指示するフレーム制御信号によって、前記動き方向信号を前記ガウシアンフィルタ係数設定段階に出力する又は前記シャープネスフィルタ係数設段階に出力する選択段階と、を含むことを特徴とする請求項１７に記載の液晶表示装置の駆動方法。
【請求項１９】
前記フィルタ係数設定段階は、
前記動きベクターを用いて動き方向信号を検出する動き方向検出段階と、
前記動きベクターの方向に動く前記動く表示映像の境界部の勾配を設定するための前記ガウシアンフィルタ係数を、前記第１転換フレームまたは第２転換フレームを指示するフレーム制御信号フレーム制御信号と、前記境界部階調分析信号にしたがって異なるように設定するガウシアンフィルタ係数設定段階と、
前記動きベクターの方向に動く前記動く表示映像の境界部のアンダーシュートを設定するための前記シャープネスフィルタ係数を、前記フレーム制御信号及び前記境界部階調分析信号にしたがって異なるように設定するシャープネスフィルタ係数設定段階と、を含むことを特徴とする請求項１７に記載の液晶表示装置の駆動方法。
【請求項２０】
前記ガウシアンフィルタ係数設定段階は、前記境界部階調分析信号にしたがって、前記動き方向信号に対応する方向に前記動く表示映像の境界部に隣接した少なくとも一つのピクセルの輝度成分を、前記ガウシアンフィルタ係数によって前記勾配を有するようにスムージングフィルタリングするための前記ガウシアンフィルタ係数を設定することを特徴とする請求項１８または１９に記載の液晶表示装置の駆動方法。
【請求項２１】
前記ガウシアンフィルタ係数設定段階は、
前記境界部階調分析信号がハイ状態である場合、前記境界部の以前の２ピクセルの輝度成分が、前記ガウシアンフィルタ係数によってスムージングフィルタリングされるように前記ガウシアンフィルタ係数を設定し、
前記境界部階調分析信号がロー状態である場合、前記境界部の以前の１ピクセルの輝度成分が、前記ガウシアンフィルタ係数によってスムージングフィルタリングされるように前記ガウシアンフィルタ係数を設定することを特徴とする請求項２０に記載の液晶表示装置の駆動方法。
【請求項２２】
前記シャープネスフィルタ係数設定段階は、
前記境界部階調分析信号にしたがって、前記動き方向信号に対応する方向に前記動く表示映像の境界部に隣接した少なくとも一つのピクセルの輝度成分を、前記シャープネスフィルタ係数よって前記境界部がアンダーシュートを有するようにシャープネスフィルタリングするための前記シャープネスフィルタ係数を設定することを特徴とする請求項１８または１９に記載の液晶表示装置の駆動方法。
【請求項２３】
前記シャープネスフィルタ係数設定段階は、
前記境界部階調分析信号がハイ状態である場合、前記境界部の以前の２ピクセルの輝度成分が、前記シャープネスフィルタ係数よって前記境界部がアンダーシュートを有するようにシャープネスフィルタリングされるように前記シャープネスフィルタ係数を設定し、
前記境界部階調分析信号がロー状態である場合、前記境界部の以前の１ピクセルの輝度成分が、前記シャープネスフィルタ係数よって前記境界部がアンダーシュートを有するようにシャープネスフィルタリングされるように前記シャープネスフィルタ係数を設定することを特徴とする請求項２２に記載の液晶表示装置の駆動方法。
【請求項２４】
前記動きフィルタリング段階は、
前記第１転換フレーム及び前記第２転換フレーム中、１個の転換フレームの輝度成分を、前記ガウシアンフィルタ係数によって前記境界部が勾配を有するようにスムージングフィルタリングする段階と、
前記第１転換フレーム及び第２転換フレーム中、残り１個の転換フレームの輝度成分を、前記シャープネスフィルタ係数よって前記境界部がアンダーシュートを有するようにシャープネスフィルタリングする段階と、
前記フレーム制御信号によって前記第１及び第２転換フレームの輝度成分をガウシアンフィルタリングする段階または前記シャープネスフィルタリングする段階に出力する段階と、を含むことを特徴とする請求項１８に記載の液晶表示装置の駆動方法。
【請求項２５】
前記動きフィルタリング段階は、
前記各転換フレームの輝度成分を、前記ガウシアンフィルタ係数によって前記境界部が勾配を有するようにスムージングフィルタリングするガウシアンフィルタリングする段階と、
前記ガウシアンフィルタリングされた前記各転換フレームの輝度成分を、前記シャープネスフィルタ係数よって前記境界部がアンダーシュートを有するようにシャープネスフィルタリングするシャープネスフィルタリングする段階と、を具備することを特徴とする請求項１９に記載の液晶表示装置の駆動方法。
【請求項２６】
前記第１段階は、以前フレームの変調データ及び現在フレームの変調データを用いて、前記変調データを液晶応答速度を迅速にするためのデータにさらに変調する段階をさらに含むことを特徴とする請求項１４ないし２５中、一つに記載の液晶表示装置の駆動方法。
【発明の詳細な説明】
【技術分野】
【０００１】
本発明は、液晶表示装置に関するもので、特に、映像の動作ぶれ（Ｍｏｔｉｏｎ  Ｂｌｕｒｒｉｎｇ）を除去して画質を向上できる液晶表示装置の駆動装置及び駆動方法に関するものである。
【背景技術】
【０００２】
通常、液晶表示装置は、ビデオ信号によって各液晶セルの光透過率を調節し、映像を表示するものである。液晶セルごとにスイッチング素子が形成されたアクティブマトリックスタイプの液晶表示装置は、動画像を表示するのに適している。アクティブマトリックスタイプの液晶表示装置のスイッチング素子としては、主に薄膜トランジスタ（ＴＦＴ）が用いられている。
【０００３】
図１は、関連技術に係る液晶表示装置の駆動装置を概略的に示す図である。
【０００４】
図１に示すように、関連技術に係る液晶表示装置の駆動装置は、ｎ個のゲートラインＧＬ１〜ＧＬｎ及びｍ個のデータラインＤＬ１〜ＤＬｍによって定義される領域ごとに形成された液晶セルを含む映像表示部２と、各データラインＤＬ１〜ＤＬｍにアナログビデオ信号を供給するためのデータドライバー４と、各ゲートラインＧＬ１〜ＧＬｎにスキャン信号を供給するためのゲートドライバー６と、外部から入力されるデータＲＧＢを整列してデータドライバー４に供給し、データ制御信号ＤＣＳを生成してデータドライバー４を制御するとともに、ゲート制御信号ＧＣＳを生成してゲートドライバー６を制御するタイミングコントローラ８と、を備えている。
【０００５】
映像表示部２は、互いに対向して合着されたトランジスタアレイ基板及びカラーフィルターアレイ基板と、二つのアレイ基板の間でセルギャップを一定に維持させるためのスペーサーと、スペーサーによって設けられた液晶空間に充填される液晶と、を備えている。
【０００６】
上記のような映像表示部２は、ｎ個のゲートラインＧＬ１〜ＧＬｎ及びｍ個のデータラインＤＬ１〜ＤＬｍによって定義される領域に形成されたＴＦＴと、ＴＦＴに接続される液晶セルと、を備えている。ＴＦＴは、ゲートラインＧＬ１〜ＧＬｎからのスキャン信号に応答して、データラインＤＬ１〜ＤＬｍからのアナログビデオ信号を液晶セルに供給する。液晶セルは、液晶を挟んで対面する共通電極と、ＴＦＴに接続された画素電極とから構成されるので、等価的に液晶キャパシタＣｌｃに表示される。この液晶セルは、液晶キャパシタＣｌｃに充電されたアナログビデオ信号を、次のアナログビデオ信号が充電されるまで維持させるためのストレージキャパシタＣｓｔを含む。
【０００７】
タイミングコントローラ８は、外部から入力されるデータＲＧＢを映像表示部２の駆動に合わせて整列し、整列されたデータＲＧＢをデータドライバー４に供給する。また、タイミングコントローラ８は、外部から入力されるドットクロックＤＣＬＫ、データイネーブル信号ＤＥ、水平及び垂直同期信号Ｈｓｙｎｃ，Ｖｓｙｎｃを用いてデータ制御信号ＤＣＳ及びゲート制御信号ＧＣＳを生成し、データドライバー４及びゲートドライバー６の各駆動タイミングを制御する。
【０００８】
ゲートドライバー６は、タイミングコントローラ８からのゲート制御信号ＧＣＳのうちゲートスタートパルスＧＳＰ及びゲートシフトクロックＧＳＣに応答して、スキャン信号、すなわち、ゲートハイ信号を順次発生するシフトレジスタを含む。このゲートドライバー６は、ゲートハイ信号を映像表示部２の各ゲートラインＧＬに順次供給し、ゲートラインＧＬに接続されたＴＦＴをターンオンする。
【０００９】
データドライバー４は、タイミングコントローラ８から供給されるデータ制御信号ＤＣＳによって、タイミングコントローラ８で整列されたデータ信号Ｄａｔａをアナログビデオ信号に変換し、ゲートラインＧＬにスキャン信号が供給される一水平周期ごとに一水平ライン分のアナログビデオ信号を各データラインＤＬに供給する。すなわち、データドライバー４は、データ信号Ｄａｔａによって所定レベルを有するガンマ電圧を選択し、選択されたガンマ電圧を各データラインＤＬ１〜ＤＬｍに供給する。このとき、データドライバー４は、極性制御信号ＰＯＬに応答して、各データラインＤＬに供給されるアナログビデオ信号の極性を反転させる。
【００１０】
上記のような関連技術に係る液晶表示装置の駆動装置は、液晶の固有の粘性及び弾性などの特性によって応答速度が遅いという短所がある。すなわち、液晶応答速度は、液晶材料の物性及びセルギャップなどによって異なっているが、通常、立ち上がり時間（ｒｉｓｉｎｇ  ｔｉｍｅ）が２０〜８０msで、立ち下がり時間（ｆａｌｌｉｎｇ  ｔｉｍｅ）が２０〜３０msである。このような液晶応答速度は、動く表示映像の一フレーム期間（ＮＴＳＣ：１６.６７ms）より長いため、図２に示すように、液晶セルに充電される電圧が所望の電圧に到達する前に、次のフレームに進行されるようになる。
【００１１】
その結果、映像表示部２に表示される各フレームの表示映像が次のフレームの表示映像に影響を及ぼすため、観覧者の知覚特性によって、映像表示部２に表示される動く表示映像がぶれる動作ぶれ（Ｍｏｔｉｏｎ  Ｂｌｕｒｒｉｎｇ）現象が表れる。
【００１２】
したがって、関連技術に係る液晶表示装置の駆動装置及び駆動方法は、表示映像で発生する動作ぶれ現象によって明暗比（Ｃｏｎｔｒａｓｔ  Ｒａｔｉｏ）が低下することで、画質が劣るという問題点があった。
【００１３】
上記のような関連技術に係る液晶表示装置で発生する動作ぶれ現象を防止するために、液晶応答速度を迅速にするためのデータ信号を変調する高速駆動（Ｏｖｅｒ  Ｄｒｉｖｉｎｇ）装置が提案された。
【００１４】
図３は、関連技術に係る高速駆動装置を概略的に示すブロック図である。
【００１５】
図３に示すように、関連技術に係る高速駆動装置５０は、入力される現在フレームＦｎのデータＲＧＢを保存するフレームメモリ５２と、入力される現在フレームＦｎのデータＲＧＢとフレームメモリ５２に保存された以前フレームＦｎ−１のデータとを比較し、液晶応答速度を迅速にするための変調データを生成するルックアップテーブル５４と、ルックアップテーブル５４からの変調データと現在フレームＦｎのデータＲＧＢとをミキシングして出力するミキシング部５６と、を備えている。
【００１６】
ルックアップテーブル５４には、迅速に変化する映像の階調値に対応して液晶応答速度を迅速にするために、入力されるデータＲＧＢの電圧より大きい電圧に変換するための変調データＲ’Ｇ’Ｂ’が登載される。
【００１７】
上記のような関連技術に係る高速駆動装置５０は、ルックアップテーブル５４を用いて、図４に示すように、実際のデータ電圧より大きい電圧を液晶に印加するため、液晶が目標階調電圧に合わせて一層迅速に応答した後、実際に所望の階調値に到達すると、その値を維持するようになる。
【００１８】
したがって、関連技術に係る高速駆動装置５０は、変調データＲ’Ｇ’Ｂ’を用いて液晶応答速度を迅速にすることで、表示映像の動作ぶれ現象を減少できる。
【発明の開示】
【発明が解決しようとする課題】
【００１９】
しかしながら、関連技術に係る液晶表示装置は、高速駆動装置を用いて表示映像を表示する場合も、表示映像の境界部で発生する動作ぶれ現象によって表示映像が鮮明でないという問題点があった。すなわち、表示映像の境界部の間には勾配を有するように輝度が増加するため、液晶を高速駆動する場合も、動作ぶれ現象が発生するという問題点があった。
【００２０】
本発明は上記の問題点を解決するためのもので、その目的は、映像の動作ぶれを除去して画質を向上できる液晶表示装置の駆動装置及び駆動方法を提供することにある。
【課題を解決するための手段】
【００２１】
上記目的を達成するための本発明に係る液晶表示装置の駆動装置は、複数のゲートライン及び複数のデータラインによって定義されるピクセル領域ごとに形成された液晶セルを含む映像表示部と、外部から入力されるソースデータで動きベクター（ｍｏｔｉｏｎ  ｖｅｃｔｏｒ）を検出するとともに、入力される元映像の一フレームを少なくとも２個の転換フレームに変換し、動きベクターによって前記各転換フレーム映像をフィルタリングして変調データを生成するデータ変換部と、前記各ゲートラインにスキャン信号を供給するゲートドライバーと、前記変調データをアナログビデオ信号に変換して前記各データラインに供給するデータドライバーと、前記変調データを整列してデータドライバーに供給し、データ制御信号を生成して前記データドライバーを制御すると同時に、ゲート制御信号を生成して前記ゲートドライバーを制御するタイミングコントローラと、を含んで構成されることを特徴とする。
【００２２】
本発明の実施形態に係る液晶表示装置の駆動方法は、映像を表示する映像表示部を有する液晶表示装置の駆動方法において、外部から入力されるソースデータで動きベクターを検出するとともに、入力される元映像の一フレームを少なくとも２個の転換フレームに変換し、動きベクターによって前記各転換フレーム映像をフィルタリングして変調データを生成する第１段階と、前記各ゲートラインにスキャン信号を供給する第２段階と、前記スキャンパルスに同期するように前記変調データをアナログビデオ信号に変換して前記各データラインに供給する第３段階と、を含むことを特徴とする。
【発明の効果】
【００２３】
本発明の実施形態に係る液晶表示装置の駆動装置及び駆動方法は、外部から入力されるソースデータで動きベクターを検出するとともに、入力される元映像の一フレームを二つの転換フレームに変換し、動きベクターによって変換された各転換フレームで動く表示映像の境界部にアンダーシュートが発生するようにフィルタリング及び／または境界部の勾配がスムージングするようにフィルタリングすることで、動く映像の動作ぶれ現象を除去できる。したがって、本発明は、動く表示映像を一層鮮明にするとともに、停止映像をノイズなしに立体感あるように表示できる。
【発明を実施するための最良の形態】
【００２４】
以下、添付の図面及び実施の形態を通して、本発明の実施形態に係る液晶表示装置の駆動装置及び駆動方法を具体的に説明する。
【００２５】
図５は、本発明の実施形態に係る液晶表示装置の駆動装置を概略的に示す図である。
【００２６】
図５に示すように、本発明の実施形態に係る液晶表示装置の駆動装置は、ｎ個のゲートラインＧＬ１〜ＧＬｎ及びｍ個のデータラインＤＬ１〜ＤＬｍによって定義されるピクセル領域ごとに形成された液晶セルを含む映像表示部１０２と、外部から入力されるソースデータＲＧＢで動きベクターを検出するとともに、入力される元映像の一フレームを二つの転換フレームに変換し、動きベクターによって変換された各転換フレーム映像をフィルタリングして変調データＲ’Ｇ’Ｂ’を生成するデータ変換部１１０と、各ゲートラインＧＬ１〜ＧＬｎにスキャン信号を供給するためのゲートドライバー１０６と、各データラインＤＬ１〜ＤＬｍにアナログビデオ信号を供給するためのデータドライバー１０４と、データ変換部１１０からの変調データＲ’Ｇ’Ｂ’を整列してデータドライバー１０４に供給し、データ制御信号ＤＣＳを生成してデータドライバー１０４を制御すると同時に、ゲート制御信号ＧＣＳを生成してゲートドライバー１０６を制御するタイミングコントローラ１０８と、を備えている。
【００２７】
映像表示部１０２は、互いに対向して合着されたトランジスタアレイ基板及びカラーフィルタアレイ基板と、二つのアレイ基板の間でセルギャップを一定に維持させるためのスペーサーと、スペーサーによって設けられた液晶空間に充填される液晶と、を備えている。
【００２８】
上記のような映像表示部１０２は、ｎ個のゲートラインＧＬ１〜ＧＬｎ及びｍ個のデータラインＤＬ１〜ＤＬｍによって定義される領域に形成されたＴＦＴと、ＴＦＴに接続される液晶セルと、を備えている。ＴＦＴは、ゲートラインＧＬ１〜ＧＬｎからのスキャン信号に応答して、データラインＤＬ１〜ＤＬｍからのアナログビデオ信号を液晶セルに供給する。液晶セルは、液晶を挟んで対面する共通電極と、ＴＦＴに接続された画素電極とから構成されるので、等価的に液晶キャパシタＣｌｃに表示される。また、液晶セルは、液晶キャパシタＣｌｃに充電されたアナログビデオ信号を、次のアナログビデオ信号が充電されるまで維持させるためにストレージキャパシタＣｓｔを含む。
【００２９】
データ変換部１１０は、外部から入力されるソースデータＲＧＢでブロック単位の動きベクター及びピクセル単位の動きベクターを検出し、表示映像で境界部を検出する。
【００３０】
そして、データ変換部１１０は、周波数逓倍器（図示せず）を用いて入力される一フレームのソースデータＲＧＢを二つのフレーム入力データに変換する。すなわち、フレーム単位のソースデータＲＧＢが６０Hzの駆動周波数で供給される場合、データ変換部１１０は、フレーム単位のソースデータＲＧＢを１２０Hzの駆動周波数に変換するようになる。
【００３１】
上記のようなデータ変換部１１０は、検出された動きベクターに対応するフィルタリング係数によって各フレーム入力データで動く表示映像の境界部にアンダーシュート（Ｕｎｄｅｒｓｈｏｏｔ）が発生するようにフィルタリング及び／または境界部の勾配をスムージングフィルタリングして変調データＲ’Ｇ’Ｂ’を生成し、生成された変調データＲ’Ｇ’Ｂ’をタイミングコントローラ１０８に供給する。
【００３２】
一方、データ変換部１１０は、タイミングコントローラ１０８に内蔵される。
【００３３】
タイミングコントローラ１０８は、データ変換部１１０から供給される変調データＲ’Ｇ’Ｂ’を映像表示部１０２の駆動に合わせて整列し、整列されたデータ信号Ｄａｔａをデータドライバー１０４に供給する。
【００３４】
また、タイミングコントローラ１０８は、外部から入力されるドットクロックＤＣＬＫ、データイネーブル信号ＤＥ、水平及び垂直同期信号Ｈｓｙｎｃ，Ｖｓｙｎｃを用いてデータ制御信号ＤＣＳ及びゲート制御信号ＧＣＳを生成し、データドライバー１０４及びゲートドライバー１０６の各駆動タイミングを制御する。
【００３５】
ゲートドライバー１０６は、タイミングコントローラ１０８からのゲート制御信号ＧＣＳのうちゲートスタートパルスＧＳＰ及びゲートシフトクロックＧＳＣに応答して、スキャンパルス、すなわち、ゲートハイパルスを順次発生するシフトレジスタを含む。このゲートドライバー１０６は、ゲートハイパルスを映像表示部１０２の各ゲートラインＧＬに順次供給し、ゲートラインＧＬに接続されたＴＦＴをターンオンする。
【００３６】
データドライバー１０４は、タイミングコントローラ１０８から供給されるデータ制御信号ＤＣＳによって、タイミングコントローラ１０８から整列されたデータ信号Ｄａｔａをアナログビデオ信号に変換し、ゲートラインＧＬにスキャンパルスが供給される一水平周期ごとに一水平ライン分のアナログビデオ信号を各データラインＤＬに供給する。すなわち、データドライバー１０４は、データ信号Ｄａｔａによって所定レベルを有するガンマ電圧を選択してアナログビデオ信号を生成し、生成されたアナログビデオ信号を各データラインＤＬ１〜ＤＬｍに供給する。このとき、データドライバー１０４は、極性制御信号ＰＯＬに応答して、各データラインＤＬに供給されるアナログビデオ信号の極性を反転させる。
【００３７】
上記のような本発明の実施形態に係る液晶表示装置の駆動装置及び駆動方法は、入力される元映像の一フレームを二つの転換フレームに変換し、動きベクターによって変換された二つの転換フレームの動く表示映像の境界部の勾配がスムージングするようにフィルタリング及び／または境界部でアンダーシュートが発生するようにフィルタリングして変調データＲ’Ｇ’Ｂ’を生成することで、動く映像の動作ぶれ現象を除去できる。したがって、本発明の実施形態に係る液晶表示装置の駆動装置及び駆動方法は、動く表示映像を一層鮮明にできるとともに、停止映像をノイズなしに立体感あるように表示できる。
【００３８】
図６は、図５に示した本発明の第１実施形態に係るデータ変調部１１０を概略的に示すブロック図である。
【００３９】
図６を図５と関連づけると、本発明の第１実施形態に係るデータ変調部１１０は、第１ガンマ補正部２００、輝度／色差分離部２１０、遅延部２２０、映像変調部２３０、ミキシング部２４０及び第２ガンマ補正部２５０を含んで構成される。
【００４０】
第１ガンマ補正部２００は、下記の数式１のように、ソースデータＲＧＢを線形化された第１データＲ１，Ｇ１，Ｂ１に逆ガンマ補正する。このとき、第１データＲ１，Ｇ１，Ｂ１は、陰極線観の出力特性を考慮してガンマ補正がなされた信号となる。
【００４１】
［数式１］
Ｒ1＝Ｒλ
Ｇ1＝Ｇλ
Ｂ1＝Ｂλ
【００４２】
輝度／色差分離部２１０は、フレーム単位の第１データＲ１，Ｇ１，Ｂ１を輝度成分Ｙ及び色差成分Ｕ，Ｖに分離する。ここで、輝度成分Ｙ及び色差成分Ｕ，Ｖは、下記の数式２〜４によって求められる。
【００４３】
［数式２］
Ｙ＝０．２９９×Ｒ１＋０．５８７×Ｇ１＋０．１１４×Ｂ１
【００４４】
［数式３］
Ｕ＝０．４９３×（Ｂ１−Ｙ）
【００４５】
［数４］
Ｖ＝０．８８７×（Ｒ１−Ｙ）
【００４６】
上記のような輝度／色差分離部２１０は、数式２〜４によって第１データＲ１，Ｇ１，Ｂ１から分離された輝度成分Ｙを映像変調部２３０に供給するとともに、第１データＲ１，Ｇ１，Ｂ１から分離された色差成分Ｕ，Ｖを遅延部２２０に供給する。
【００４７】
遅延部２２０は、映像変調部２３０でフレーム単位の輝度成分Ｙを変調する間、フレーム単位の色差成分Ｕ，Ｖを遅延させて遅延色差成分ＵＤ，ＶＤを生成し、遅延色差成分ＵＤ，ＶＤをミキシング部２４０に供給する。
【００４８】
本発明の第１実施形態に係る映像変調部２３０は、図７に示すように、メモリ部３１０、ダブルフレーム生成部３１２、動き検出部３１４、動きフィルタ部３１６及び掛け算部３１８を含んで構成される。
【００４９】
メモリ部３１０は、輝度／色差分離部２１０から供給されるフレーム単位の輝度成分ＹＦを保存する。そして、メモリ部３１０は、現在フレームの輝度成分ＹＦｎ及び以前フレームの輝度成分ＹＦｎ−１を動き検出部３１４に供給する。
【００５０】
ダブルフレーム生成部３１２は、輝度／色差分離部２１０から供給されるフレーム単位の元映像の輝度成分Ｙを元映像と同一の第１及び第２転換フレームＹＦＤに転換し、転換された第１及び第２転換フレームＹＦＤを動きフィルタ部３１６に順次供給する。ここで、ダブルフレーム生成部３１２は、フレーム単位の元映像が６０Hzの駆動周波数で供給される場合、１２０Hzの駆動周波数を有するように動きフィルタ部３１６に供給する。
【００５１】
動き検出部３１４は、図８に示すように、ブロック動き検出部３２０、ピクセル別階調検出部３２２、動き大きさ検出部３２４及びフィルタ係数設定部３２６を含んで構成される。
【００５２】
ブロック動き検出部３２０は、メモリ部３１０から供給される現在フレームの輝度成分ＹＦｎと以前フレームの輝度成分ＹＦｎ−１とをｉ×ｉブロック単位で比較し、ｉ×ｉブロック単位で動きに対するＸ軸変位及びＹ軸変位を含む動きベクターＸ，Ｙを検出する。
【００５３】
ピクセル別階調検出部３２２は、メモリ部３１０から供給される現在フレームの輝度成分ＹＦｎをピクセル別に比較し、境界部階調分析信号ＢＧＡＳをフィルタ係数設定部３２４に供給する。このとき、ピクセル別階調検出部３２２は、メモリ部３１０から一水平ライン単位で現在フレームの輝度成分を受ける。
【００５４】
具体的に、ピクセル別階調検出部３２２は、隣接したピクセル別に比較してピクセル単位の階調変化を検出し、動く表示映像の境界部を検出する。そして、ピクセル別階調検出部３２２は、境界部の階調が高い階調から低い階調に変化する場合、ハイ状態の境界部階調分析信号ＢＧＡＳをフィルタ係数設定部３２４に供給し、境界部の階調が低い階調から高い階調に変化する場合、ロー状態の境界部階調分析信号ＢＧＡＳをフィルタ係数設定部３２４に供給する。
【００５５】
動き大きさ検出部３２６は、ブロック動き検出部３２０から供給される動きベクターＸ，Ｙによって、下記の数式５のように動き大きさ信号Ｍｓを検出して掛け算部３１８に供給する。ここで、動き大きさ信号Ｍｓは、動きのＸ軸変位及びＹ軸変位によって決定されるので、それら値が大きいほど増加するようになる。
【００５６】
【数５】
0004823048.tif 000002
【００５７】
フィルタ係数設定部３２６は、図９に示すように、動き方向検出部３３０、選択部３３２、ガウシアンフィルタ係数設定部３３４及びシャープネスフィルタ係数設定部３３６を含んで構成される。
【００５８】
動き方向検出部３３０は、ブロック動き検出部３２０から供給される動きベクターＸ，Ｙによって、ｉ×ｉブロック単位の動き方向信号Ｍｄを検出して選択部３３２に供給する。ここで、ｉ×ｉブロック単位の動き方向信号Ｍｄは、動く表示映像が左側<−>右側、上側<−>下側、左側上部縁<−>右側下部縁及び左側下部縁<−>右側上部縁を含む８個の変位のうち何れか一つによって決定される。
【００５９】
選択部３２２は、フレーム制御信号ＦＣＳによって、動き方向検出部３３０からの動き方向信号Ｍｄをガウシアンフィルタ係数設定部３３４またはシャープネスフィルタ係数設定部３３６に供給する。ここで、フレーム制御信号ＦＣＳは、図１０に示すように、Ｎ番目フレーム（または奇数番目フレーム）ではハイ状態になる反面、Ｎ＋１番目フレーム（または偶数番目フレーム）ではロー状態になる。
【００６０】
ガウシアンフィルタ係数設定部３３４は、境界部階調分析信号ＢＧＡＳの論理状態によって、選択部３３２からの動き方向Ｍｄに動く表示映像の境界部の勾配を設定するためのガウシアンフィルタ係数ｓＦｃを設定する。
【００６１】
具体的に、ガウシアンフィルタ係数設定部３３４は、境界部階調分析信号ＢＧＡＳがハイ状態である場合、図１１Ａに示すように、動き方向Ｍｄに動く表示映像の境界部を基準にして、以前の２ピクセルの輝度成分が所定の勾配を有するようにガウシアンフィルタ係数ｓＦｃを設定する。
【００６２】
その反面、ガウシアンフィルタ係数設定部３３４は、境界部階調分析信号ＢＧＡＳがロー状態である場合、図１１Ｂに示すように、動き方向Ｍｄに動く表示映像の境界部を基準にして、以前の１ピクセルの輝度成分が所定の勾配を有するようにガウシアンフィルタ係数ｓＦｃを設定する。
【００６３】
もちろん、ガウシアンフィルタ係数ｓＦｃは、動き方向Ｍｄに動く表示映像の境界部を基準にして、少なくとも一つの以前及び以後の１ピクセルの輝度成分が所定の勾配を有するように設定される。
【００６４】
シャープネスフィルタ係数設定部３３６は、境界部階調分析信号ＢＧＡＳの論理状態によって、選択部３３２からの動き方向Ｍｄに動く表示映像の境界部でアンダーシュートを発生するためのシャープネスフィルタ係数ｕＦｃを設定する。
【００６５】
具体的に、シャープネスフィルタ係数設定部３３６は、境界部階調分析信号ＢＧＡＳがハイ状態である場合、図１２Ａに示すように、動き方向Ｍｄに動く表示映像の境界部を基準にして、以前の２ピクセルの輝度成分でアンダーシュートが発生するようにシャープネスフィルタ係数ｕＦｃを設定する。
【００６６】
その反面、シャープネスフィルタ係数設定部３３４は、境界部階調分析信号ＢＧＡＳがロー状態である場合、図１２Ｂに示すように、動き方向Ｍｄに動く表示映像の境界部を基準にして、以前の１ピクセルの輝度成分でアンダーシュートが発生するようにシャープネスフィルタ係数ｕＦｃを設定する。
【００６７】
もちろん、シャープネスフィルタ係数ｕＦｃは、動き方向Ｍｄに動く表示映像の境界部を基準にして、少なくとも一つの以前及び以後の１ピクセルの輝度成分でアンダーシュートが発生するように設定される。
【００６８】
図７において、動きフィルタ部３１６は、フレーム制御信号ＦＣＳによって、動き検出部３１４からのガウシアンフィルタ係数ｓＦｃまたはシャープネスフィルタ係数ｕＦｃを用いてダブルフレーム生成部３１２から供給される転換フレームの輝度成分ＹＦＤをフィルタリングする。
【００６９】
このために、動きフィルタ部３１６は、図１３に示すように、選択部３４０、ガウシアンフィルタ３４２及びシャープネスフィルタ３４４を含んで構成される。
【００７０】
選択部３４０は、フレーム制御信号ＦＣＳによって転換フレームの輝度成分ＹＦＤを選択的に出力する。すなわち、選択部３４０は、ハイ状態のフレーム制御信号ＦＣＳによって転換フレームの輝度成分ＹＦＤをガウシアンフィルタ３４２に供給し、ロー状態のフレーム制御信号ＦＣＳによって転換フレームの輝度成分ＹＦＤをシャープネスフィルタ３４４に供給する。
【００７１】
ガウシアンフィルタ３４２は、ガウシアンフィルタ係数ｓＦｃにしたがって、選択部３４０によって供給されるＮ番目転換フレームの輝度成分ＹＦＤで動く表示映像の境界部をフィルタリングし、フィルタリングされたＮ番目転換フレームの輝度成分ＹＦＦを掛け算部３１８に供給する。これによって、ガウシアンフィルタ３４２は、ガウシアンフィルタ係数ｓＦｃによって動く表示映像の境界部を、図１１Ａまたは図１１Ｂに示すように、所定の勾配を有するようにスムージングフィルタリングする。
【００７２】
シャープネスフィルタ３４４は、シャープネスフィルタ係数ｕＦｃにしたがって、選択部３４０によって供給されるＮ＋１番目転換フレームの輝度成分ＹＦＤで動く表示映像の境界部でアンダーシュートが発生するようにフィルタリングし、フィルタリングされたＮ＋１番目転換フレームの輝度成分ＹＦＦを掛け算部３１８に供給する。これによって、シャープネスフィルタ３４４は、シャープネスフィルタ係数ｕＦｃによって動く表示映像の境界部を、図１２Ａまたは図１２Ｂに示すように、シャープネスフィルタリングする。
【００７３】
図７において、掛け算部３１８は、フレーム制御信号ＦＣＳによって、動きフィルタ部３１６から供給されるフィルタリングされた転換フレームの輝度成分ＹＦＦと動き検出部３１４から供給される動き大きさ信号Ｍｓとを掛け算し、転換フレームの変調された輝度成分Ｙ'をミキシング部２４０に供給する。これによって、フィルタリングされたＮ番目転換フレームの輝度成分ＹＦＦで動く表示映像の境界部は、動き大きさ信号Ｍｓに対応する勾配を有するようになる。また、フィルタリングされたＮ＋１番目転換フレームの輝度成分ＹＦＦで動く表示映像の境界部は、動き大きさ信号Ｍｓに対応するアンダーシュートを有するようになる。
【００７４】
図６において、ミキシング部２４０は、映像変調部２３０から供給される変調された輝度成分Ｙ'と遅延部２２０から供給される色差成分ＵＤ，ＶＤとをミキシングし、第２データＲ２，Ｇ２，Ｂ２を生成する。このとき、第２データＲ２，Ｇ２，Ｂ２は、下記の数式６〜８によって求められる。
【００７５】
［数式６］
Ｒ２＝Ｙ'＋０．０００×ＵＤ＋１．１４０×ＶＤ
【００７６】
［数式７］
Ｇ２＝Ｙ'−０．３９６×ＵＤ−０．５８１×ＶＤ
【００７７】
［数式８］
Ｂ２＝Ｙ'＋２．０２９×ＵＤ＋０．０００×ＶＤ
【００７８】
第２ガンマ補正部２５０は、ミキシング部２４０から供給される第２データＲ２，Ｇ２，Ｂ２を、下記の数式９によってガンマ補正して変調データＲ’Ｇ’Ｂ’に変換する。
【００７９】
［数式９］
Ｒ’＝Ｒ21／λ
Ｇ’＝Ｇ21／λ
Ｂ’＝Ｂ21／λ
【００８０】
上記のような第２ガンマ補正部２５０は、ルックアップテーブルを用いて、第２データＲ２，Ｇ２，Ｂ２を、映像表示部１０２の駆動回路に適した変調データＲ’Ｇ’Ｂ’にガンマ補正してタイミングコントローラ１０８に供給する。
【００８１】
上記のような本発明の第１実施形態に係る映像変調部２３０は、元映像の一フレームを第１及び第２転換フレームに変換し、動きベクターによって第１転換フレームの動く表示映像の境界部の勾配がスムージングするようにフィルタリングして変調データＲ’Ｇ’Ｂ’を生成するとともに、第２転換フレームの動く表示映像の境界部でアンダーシュートが発生するようにフィルタリングして変調データＲ’Ｇ’Ｂ’を生成する。
【００８２】
例えば、図１４に示すように、２００の輝度成分を有する基本映像に１００の輝度成分を有する直四角形の映像が４ピクセルだけ左側から右側に動く場合、映像変調部２３０による映像変調を説明すると、下記のとおりである。
【００８３】
まず、元映像のＮ番目フレーム映像を第１及び第２転換フレームＦ１，Ｆ２に表示する。
【００８４】
具体的に、元映像のＮ番目フレームの第１転換フレームＦ１において、動く表示映像の境界部ＢＰ１，ＢＰ２では、動きベクターによって設定されるガウシアンフィルタ係数ｓＦｃによる所定の勾配が発生する。また、元映像のＮ番目フレームの第２転換フレームＦ２において、動く表示映像の境界部ＢＰ１，ＢＰ２では、動きベクターによって設定されるシャープネスフィルタ係数ｕＦｃによるアンダーシュートが発生する。
【００８５】
すなわち、元映像のＮ番目フレームの第１転換フレームＦ１において、高い輝度成分から低い輝度成分に変化する第１境界部ＢＰ１の以前の２ピクセルの輝度成分は、スムージングフィルタリング（ＳＦ）される。また、低い輝度成分から高い輝度成分に変化する第２境界部ＢＰ２の以前の１ピクセルの輝度成分は、スムージングフィルタリングされる。
【００８６】
そして、元映像のＮ番目フレームの第２転換フレームＦ２において、高い輝度成分から低い輝度成分に変化する第１境界部ＢＰ１の以前の２ピクセルの輝度成分は、シャープネスフィルタリング（ＵＦ）される。また、低い輝度成分から高い輝度成分に変化する第２境界部ＢＰ２の以前の１ピクセルの輝度成分は、シャープネスフィルタリングされる。
【００８７】
元映像のＮ＋１番目フレームの第１転換フレームＦ１において、動く表示映像の境界部ＢＰ１，ＢＰ２では、動きベクターによって設定されるガウシアンフィルタ係数ｓＦｃによる所定の勾配が発生する。また、元映像のＮ＋１番目フレームの第２転換フレームＦ２において、動く表示映像の境界部ＢＰ１，ＢＰ２では、動きベクターによって設定されるシャープネスフィルタ係数ｕＦｃによるアンダーシュートが発生する。
【００８８】
すなわち、元映像のＮ＋１番目フレームの第１転換フレームＦ１において、高い輝度成分から低い輝度成分に変化する第１境界部ＢＰ１の以前の２ピクセルの輝度成分は、スムージングフィルタリングされる。また、低い輝度成分から高い輝度成分に変化する第２境界部ＢＰ２の以前の１ピクセルの輝度成分は、スムージングフィルタリングされる。
【００８９】
そして、元映像のＮ＋１番目フレームの第２転換フレームＦ２において、高い輝度成分から低い輝度成分に変化する第１境界部ＢＰ１の以前の２ピクセルの輝度成分は、シャープネスフィルタリングＵＦされる。また、低い輝度成分から高い輝度成分に変化する第２境界部ＢＰ２の以前の１ピクセルの輝度成分は、シャープネスフィルタリングされる。
【００９０】
したがって、本発明の第１実施形態に係る映像変調部２３０は、動く表示映像を一層鮮明にできるとともに、停止映像をノイズなしに立体感あるように表示できる。
【００９１】
一方、本発明の第２実施形態に係る映像変調部２３０は、フレーム制御信号ＦＣＳの論理状態を除けば、上述した本発明の第１実施形態に係る映像変調部２３０と同一の構成を有する。
【００９２】
本発明の第２実施形態に係る映像変調部２３０において、フレーム制御信号ＦＣＳは、図１５に示すように、Ｎ番目フレーム（または奇数番目フレーム）ではロー状態になる反面、Ｎ＋１番目フレーム（または偶数番目フレーム）ではハイ状態になる。
【００９３】
これによって、本発明の第２実施形態に係る映像変調部２３０は、元映像の一フレームを第１及び第２転換フレームに変換し、動きベクターによって第１転換フレームの動く表示映像の境界部でアンダーシュートが発生するようにフィルタリングして変調データＲ’Ｇ’Ｂ’を生成するとともに、第２転換フレームの動く表示映像の境界部の勾配がスムージングするようにフィルタリングして変調データＲ’Ｇ’Ｂ’を生成する。
【００９４】
一方、本発明の第２実施形態に係る映像変調部２３０は、フレーム制御信号ＦＣＳの論理状態を元映像の複数フレームごとに反転させる場合、動く表示映像の境界部に対するスムージング及びシャープネスフィルタリングを交互に行える。例えば、元映像が８フレームから構成される場合、下記の表１のように、元映像の８フレームを第１及び第２転換フレームＦＤ１，ＦＤ２にそれぞれ転換する。そして、元映像の第１〜第４フレームの第１転換フレームＦＤ１をスムージングフィルタリングするとともに、第２転換フレームＦＤ２をシャープネスフィルタリングする。その反面、元映像の第５〜第８フレームの第１転換フレームＦＤ１をシャープネスフィルタリングするとともに、第２転換フレームＦＤ２をスムージングフィルタリングする。
【００９５】
【表１】
0004823048.tif 000003
【００９６】
図１６は、本発明の第２実施形態に係るデータ変換部を概略的に示すブロック図である。
【００９７】
図１６を図５と関連づけると、本発明の第２実施形態に係るデータ変換部１１０は、第１ガンマ補正部２００、輝度／色差分離部２１０、遅延部２２０、映像変調部４３０、ミキシング部２４０及び第２ガンマ補正部２５０を含んで構成される。
【００９８】
ここで、本発明の第２実施形態に係るデータ変換部１１０は、映像変調部４３０を除けば、本発明の第１実施形態に係るデータ変換部と同一であるので、これらに対する詳細な説明は省略する。
【００９９】
本発明の第３実施形態に係る映像変調部４３０は、元映像の一フレームを二つの転換フレームに変換し、フレーム制御信号ＦＣＳに基づいて、動きベクターによって変換された二つの転換フレームの動く表示映像の境界部の勾配がスムージングするようにフィルタリング及び境界部でアンダーシュートが発生するようにフィルタリングして変調データＲ’Ｇ’Ｂ’を生成する。
【０１００】
このために、映像変調部４３０は、図１７に示すように、メモリ部３１０、ダブルフレーム生成部３１２、動き検出部４１４、動きフィルタ部４１６及び掛け算部４１８を含んで構成される。
【０１０１】
映像変調部４３０において、メモリ部３１０及びダブルフレーム生成部３１２は、本発明の第１実施形態に係る映像変調部と同一であるので、これらに対する詳細な説明は省略する。
【０１０２】
動き検出部４１４は、図１８に示すように、ブロック動き検出部３２０、ピクセル別階調検出部３２２、動き大きさ検出部３２４及びフィルタ係数設定部４２６を含んで構成される。
【０１０３】
動き検出部４１４においてフィルタ係数設定部４２６を除けば、本発明の第１実施形態に係る映像変調部と同一であるので、これらに対する詳細な説明は省略する。
【０１０４】
フィルタ係数設定部４２６は、図１９に示すように、動き方向検出部４３２、ガウシアンフィルタ係数設定部４３４及びシャープネスフィルタ係数設定部４３６を含んで構成される。
【０１０５】
動き方向検出部４３２は、ブロック動き検出部３２０から供給される動きベクターＸ，Ｙによってｉ×ｉブロック単位の動き方向信号Ｍｄを検出し、これをガウシアンフィルタ係数設定部４３２及びシャープネスフィルタ係数設定部４３４に供給する。ここで、ｉ×ｉブロック単位の動き方向信号Ｍｄは、動く表示映像が左側から右側、右側から左側、上側から下側、下側から上側、左側上部縁から右側下部縁、右側下部縁から左側上部縁、左側下部縁から右側上部縁及び右側上部縁から左側下部縁を含む８個の変位のうち何れか一つによって決定される。
【０１０６】
ガウシアンフィルタ係数設定部４３４は、境界部階調分析信号ＢＧＡＳの論理状態によって、動き方向検出部４３２からの動き方向Ｍｄに動く表示映像の境界部の勾配を設定するためのガウシアンフィルタ係数ｓＦｃをフレーム制御信号ＦＣＳによって異なるように設定する。
【０１０７】
具体的に、ガウシアンフィルタ係数設定部４３４は、フレーム制御信号ＦＣＳがハイ状態（Ｎ番目フレーム）で、境界部階調分析信号ＢＧＡＳがハイ状態である場合、図２０Ａに示すように、動き方向Ｍｄに動く表示映像の境界部を基準にして、以前の２ピクセルの輝度成分が所定の勾配を有するようにガウシアンフィルタ係数ｓＦｃを設定する。
【０１０８】
また、ガウシアンフィルタ係数設定部４３４は、フレーム制御信号ＦＣＳがロー状態（Ｎ＋１番目フレーム）で、境界部階調分析信号ＢＧＡＳがハイ状態である場合、図２０Ｂに示すように、動き方向Ｍｄに動く表示映像の境界部を基準にして、以前の１ピクセルの輝度成分が所定の勾配を有するようにガウシアンフィルタ係数ｓＦｃを設定する。
【０１０９】
その反面、ガウシアンフィルタ係数設定部４３４は、フレーム制御信号ＦＣＳがハイ状態（Ｎ番目フレーム）で、境界部階調分析信号ＢＧＡＳがロー状態である場合、図２０Ｃに示すように、動き方向Ｍｄに動く表示映像の境界部を基準にして、以後の１ピクセルの輝度成分が所定の勾配を有するようにガウシアンフィルタ係数ｓＦｃを設定する。
【０１１０】
また、ガウシアンフィルタ係数設定部４３４は、フレーム制御信号ＦＣＳがロー状態（Ｎ＋１番目フレーム）で、境界部階調分析信号ＢＧＡＳがロー状態である場合、図２０Ｄに示すように、動き方向Ｍｄに動く表示映像の境界部を基準にして、以後の２ピクセルの輝度成分が所定の勾配を有するようにガウシアンフィルタ係数ｓＦｃを設定する。
【０１１１】
シャープネスフィルタ係数設定部４３６は、境界部階調分析信号ＢＧＡＳの論理状態によって、動き方向検出部４３２からの動き方向Ｍｄに動く表示映像の境界部でアンダーシュートを発生するためのシャープネスフィルタ係数ｕＦｃを、フレーム制御信号ＦＣＳによって異なるように設定する。
【０１１２】
具体的に、シャープネスフィルタ係数設定部４３６は、フレーム制御信号ＦＣＳがハイ状態（Ｎ番目フレーム）で、境界部階調分析信号ＢＧＡＳがハイ状態である場合、図２０Ａに示すように、動き方向Ｍｄに動く表示映像の境界部を基準にして、以後の１ピクセルの輝度成分でアンダーシュートが発生するようにシャープネスフィルタ係数ｕＦｃを設定する。
【０１１３】
また、シャープネスフィルタ係数設定部４３６は、フレーム制御信号ＦＣＳがロー状態（Ｎ＋１番目フレーム）で、境界部階調分析信号ＢＧＡＳがハイ状態である場合、図２０Ｂに示すように、動き方向Ｍｄに動く表示映像の境界部を基準にして、以後の２ピクセルの輝度成分でアンダーシュートが発生するようにシャープネスフィルタ係数ｕＦｃを設定する。
【０１１４】
その反面、シャープネスフィルタ係数設定部４３６は、フレーム制御信号ＦＣＳがハイ状態（Ｎ番目フレーム）で、境界部階調分析信号ＢＧＡＳがロー状態である場合、図２０Ｃに示すように、動き方向Ｍｄに動く表示映像の境界部を基準にして、以前の２ピクセルの輝度成分でアンダーシュートが発生するようにシャープネスフィルタ係数ｕＦｃを設定する。
【０１１５】
また、シャープネスフィルタ係数設定部４３６は、フレーム制御信号ＦＣＳがロー状態（Ｎ＋１番目フレーム）で、境界部階調分析信号ＢＧＡＳがロー状態である場合、図２０Ｄに示すように、動き方向Ｍｄに動く表示映像の境界部を基準にして、以前の１ピクセルの輝度成分でアンダーシュートが発生するようにシャープネスフィルタ係数ｕＦｃを設定する。
【０１１６】
図１７において、動きフィルタ部４１６は、動き検出部４１４からのガウシアンフィルタ係数ｓＦｃ及びシャープネスフィルタ係数ｕＦｃを用いて、ダブルフレーム生成部３１２から供給される転換フレームの輝度成分ＹＦＤをフィルタリングする。
【０１１７】
このために、動きフィルタ部４１６は、図２１に示すように、ガウシアンフィルタ４４２及びシャープネスフィルタ４４４を含んで構成される。
【０１１８】
ガウシアンフィルタ４４２は、ガウシアンフィルタ係数ｓＦｃによってダブルフレーム生成部３１２から供給される転換フレームの輝度成分ＹＦＤで動く表示映像の境界部をスムージングフィルタリングし、スムージングフィルタリングされた転換フレームの輝度成分ＹＦＳをシャープネスフィルタ４４４に供給する。これによって、ガウシアンフィルタ４４２は、ガウシアンフィルタ係数ｓＦｃによって動く表示映像の境界部を、図２０Ａ乃至図２０Ｄのうち何れか一つに示すように、所定の勾配を有するようにスムージングフィルタリングする。
【０１１９】
シャープネスフィルタ４４４は、シャープネスフィルタ係数ｕＦｃによってガウシアンフィルタ４４２から供給されるスムージングフィルタリングされた転換フレームの輝度成分ＹＦＳで動く表示映像の境界部にアンダーシュートが発生するようにシャープネスフィルタリングし、シャープネスフィルタリングされた転換フレームの輝度成分ＹＦＦを掛け算部３１８に供給する。これによって、シャープネスフィルタ４４４は、シャープネスフィルタ係数ｕＦｃによって動く表示映像の境界部を、図２０Ａ乃至図２０Ｂのうち何れか一つに示すようにシャープネスフィルタリングする。
【０１２０】
一方、図１７において、掛け算部４１８は、動きフィルタ部４１６から供給されるフィルタリングされた転換フレームの輝度成分ＹＦＦと動き検出部４１４から供給される動き大きさ信号Ｍｓとを掛け算し、転換フレームの変調された輝度成分Ｙ'をミキシング部２４０に供給する。これによって、フィルタリングされたＮ番目転換フレームの輝度成分ＹＦＦで動く表示映像の境界部は、動き大きさ信号Ｍｓに対応する勾配及びアンダーシュートを有するようになる。また、フィルタリングされたＮ＋１番目転換フレームの輝度成分ＹＦＦで動く表示映像の境界部は、動き大きさ信号Ｍｓに対応する勾配及びアンダーシュートを有するようになる。
【０１２１】
上記のような本発明の第３実施形態に係る映像変調部４３０は、元映像の一フレームを第１及び第２転換フレームに変換し、動きベクターによって動く表示映像の境界部に、動き大きさ信号Ｍｓに対応する勾配及びアンダーシュートを有するように各転換フレームの輝度成分をフィルタリングして変調データＲ’Ｇ’Ｂ’を生成する。
【０１２２】
例えば、図２２に示すように、２００の輝度成分を有する基本映像に１００の輝度成分を有する直四角形の映像が４ピクセルだけ左側から右側に動く場合、映像変調部４３０による映像変調を説明すると、次のとおりである。
【０１２３】
まず、元映像のＮ番目フレーム映像を第１及び第２転換フレームＦ１，Ｆ２に表示する。
【０１２４】
具体的に、元映像のＮ番目フレームの第１及び第２転換フレームＦ１，Ｆ２において、動く表示映像の境界部ＢＰ１，ＢＰ２では、動きベクターによって設定されるガウシアンフィルタ係数ｓＦｃによる所定の勾配及びシャープネスフィルタ係数ｕＦｃによるアンダーシュートが発生する。
【０１２５】
すなわち、元映像のＮ番目フレームの第１転換フレームＦ１において、高い輝度成分から低い輝度成分に変化する第１境界部ＢＰ１の以前の２ピクセルの輝度成分がスムージングフィルタリングされるとともに、第１境界部ＢＰ１の以後の１ピクセルの輝度成分がシャープネスフィルタリングされる。また、低い輝度成分から高い輝度成分に変化する第２境界部ＢＰ２の以前の２ピクセルの輝度成分がシャープネスフィルタリングされるとともに、第２境界部ＢＰ２の以後の１ピクセルの輝度成分がスムージングフィルタリングされる。
【０１２６】
そして、元映像のＮ番目フレームの第２転換フレームＦ２において、高い輝度成分から低い輝度成分に変化する第１境界部ＢＰ１の以前の１ピクセルの輝度成分がスムージングフィルタリングされるとともに、第１境界部ＢＰ１の以後の２ピクセルの輝度成分がシャープネスフィルタリングされる。また、低い輝度成分から高い輝度成分に変化する第２境界部ＢＰ２の以前の１ピクセルの輝度成分がシャープネスフィルタリングされるとともに、第２境界部ＢＰ２の以後の２ピクセルの輝度成分がスムージングフィルタリングされる。
【０１２７】
元映像のＮ＋１番目フレームの第１及び第２転換フレームＦ１，Ｆ２において、動く表示映像の境界部ＢＰ１，ＢＰ２では、動きベクターによって設定されるガウシアンフィルタ係数ｓＦｃによる所定の勾配及びシャープネスフィルタ係数ｕＦｃによるアンダーシュートが発生する。
【０１２８】
すなわち、元映像のＮ＋１番目フレームの第１転換フレームＦ１において、高い輝度成分から低い輝度成分に変化する第１境界部ＢＰ１の以前の２ピクセルの輝度成分がスムージングフィルタリングされるとともに、第１境界部ＢＰ１の以後の１ピクセルの輝度成分がシャープネスフィルタリングされる。また、低い輝度成分から高い輝度成分に変化する第２境界部ＢＰ２の以前の２ピクセルの輝度成分がシャープネスフィルタリングされるとともに、第２境界部ＢＰ２の以後の１ピクセルの輝度成分がスムージングフィルタリングされる。
【０１２９】
そして、元映像のＮ＋１番目フレームの第２転換フレームＦ２において、高い輝度成分から低い輝度成分に変化する第１境界部ＢＰ１の以前の１ピクセルの輝度成分がスムージングフィルタリングされるとともに、第１境界部ＢＰ１の以後の２ピクセルの輝度成分がシャープネスフィルタリングされる。また、低い輝度成分から高い輝度成分に変化する第２境界部ＢＰ２の以前の１ピクセルの輝度成分がシャープネスフィルタリングされるとともに、第２境界部ＢＰ２の以後の２ピクセルの輝度成分がスムージングフィルタリングされる。
【０１３０】
したがって、本発明の第３実施形態に係る映像変調部２３０は、動く表示映像を一層鮮明にできるとともに、停止映像をノイズなしに立体感あるように表示できる。
【０１３１】
図２３は、本発明の第３実施形態に係るデータ変換部を概略的に示すブロック図である。
【０１３２】
図２３を図５と関連づけると、本発明の第３実施形態に係るデータ変換部１１０は、第１ガンマ補正部２００、輝度／色差分離部２１０、遅延部２２０、映像変調部２３０／４３０、ミキシング部２４０、第２ガンマ補正部６５０及び高速駆動回路６６０を含んで構成される。
【０１３３】
第１ガンマ補正部２００、輝度／色差分離部２１０、遅延部２２０、映像変調部２３０／４３０及びミキシング部２４０は、本発明の第１または第２実施形態に係る映像変調部２３０，４３０と同一であるので、これらに対する詳細な説明は省略する。
【０１３４】
第２ガンマ補正部６５０は、ミキシング部２４０から供給される第２データＲ２，Ｇ２，Ｂ２を下記の数式１０によってガンマ補正して第３データＲ３，Ｇ３，Ｂ３に変換する。
【０１３５】
［数式１０］
Ｒ3＝Ｒ21／λ
Ｇ3＝Ｇ21／λ
Ｂ3＝Ｂ21／λ
【０１３６】
上記のような第２ガンマ補正部６５０は、ルックアップテーブルを用いて第２データＲ２，Ｇ２，Ｂ２を映像表示部１０２の駆動回路に適した第３データＲ３，Ｇ３，Ｂ３にガンマ補正して高速駆動回路６６０に供給する。
【０１３７】
高速駆動回路６６０は、図２４に示すように、第２ガンマ補正部６５０から供給される第３データＲ３，Ｇ３，Ｂ３を保存するフレームメモリ６６２と、第２ガンマ補正部６５０から供給される現在フレームＦｎの第３データＲ３，Ｇ３，Ｂ３とフレームメモリ６６２からの以前フレームＦｎ−１の第３データＲ３，Ｇ３，Ｂ３とを比較し、液晶応答速度を迅速にするための高速データＭＲ，ＭＧ，ＭＢを生成するルックアップテーブル６６４と、ルックアップテーブル６６４からの高速データＭＲ，ＭＧ，ＭＢと現在フレームＦｎの第３データＲ３，Ｇ３，Ｂ３とをミキシングし、変調データＲ’Ｇ’Ｂ’を生成するミキシング部６６６と、を備えている。
【０１３８】
ルックアップテーブル６６４には、迅速に変化する映像の階調値に対応して液晶応答速度を迅速にするために、現在フレームＦｎの第３データＲ３，Ｇ３，Ｂ３の電圧より大きい電圧に変換するための高速データＭＲ，ＭＧ，ＭＢが登載される。
【０１３９】
ミキシング部６６６は、現在フレームＦｎの第３データＲ３，Ｇ３，Ｂ３と高速データＭＲ，ＭＧ，ＭＢとを混合して変調データＲ’Ｇ’Ｂ’を生成し、生成された変調データＲ’Ｇ’Ｂ’をタイミングコントローラ１０８に供給する。
【０１４０】
上記のような本発明の第３実施形態に係るデータ変換部１１０は、元映像の一フレームを第１及び第２転換フレームに変換し、動きベクターによって動く表示映像の境界部に動き大きさ信号Ｍｓに対応する勾配及びアンダーシュートを有するように各転換フレームの輝度成分をフィルタリングし、フィルタリングされた輝度成分を、液晶応答速度を迅速にするための変調データに変換することで、動く映像の動作ぶれ現象を除去できる。
【０１４１】
以上説明した本発明は、上述した実施の形態及び添付の図面によって限定されるものではなく、本発明の技術的思想から逸脱しない範囲内で多様な置換、変形及び変更が可能であることは、本発明の属する技術分野で通常の知識を有する者にとって明らかであろう。
【図面の簡単な説明】
【０１４２】
【図１】関連技術に係る液晶表示装置の駆動装置を概略的に示す図である。
【図２】図１に示した液晶セルの応答速度及び輝度を示す図である。
【図３】関連技術に係る高速駆動装置を概略的に示すブロック図である。
【図４】図３に示した高速駆動装置による液晶セルの応答速度及び輝度を示す図である。
【図５】本発明の実施形態に係る液晶表示装置の駆動装置を概略的に示す図である。
【図６】図５に示した本発明の第１実施形態に係るデータ変換部を概略的に示すブロック図である。
【図７】図６に示した本発明の第１及び第２実施形態に係る映像変調部を概略的に示すブロック図である。
【図８】図７に示した動き検出部を概略的に示すブロック図である。
【図９】図８に示したフィルタ係数設定部を概略的に示すブロック図である。
【図１０】本発明の第１実施形態に係るフレーム制御信号を示す波形図である。
【図１１Ａ】本発明の実施形態に係るガウシアンフィルタリングによる動く表示映像の境界部を示す波形図である。
【図１１Ｂ】本発明の実施形態に係るガウシアンフィルタリングによる動く表示映像の境界部を示す波形図である。
【図１２Ａ】本発明の実施形態に係るシャープネスフィルタリングによる動く表示映像の境界部を示す波形図である。
【図１２Ｂ】本発明の実施形態に係るシャープネスフィルタリングによる動く表示映像の境界部を示す波形図である。
【図１３】図７に示した本発明の第１及び第２実施形態に係る動きフィルタ部を概略的に示すブロック図である。
【図１４】本発明の第１実施形態に係る映像変調部によるデータ変調を示す図である。
【図１５】本発明の第２実施形態に係るフレーム制御信号を示す波形図である。
【図１６】図５に示した本発明の第２実施形態に係るデータ変換部を概略的に示すブロック図である。
【図１７】図１６に示した本発明の第３実施形態に係る映像変調部を概略的に示すブロック図である。
【図１８】図１７に示した動き検出部を概略的に示すブロック図である。
【図１９】図１８に示したフィルタ係数設定部を概略的に示すブロック図である。
【図２０Ａ】本発明の実施形態に係るガウシアン及びシャープネスフィルタリングによる動く表示映像の境界部を示す波形図である。
【図２０Ｂ】本発明の実施形態に係るガウシアン及びシャープネスフィルタリングによる動く表示映像の境界部を示す波形図である。
【図２０Ｃ】本発明の実施形態に係るガウシアン及びシャープネスフィルタリングによる動く表示映像の境界部を示す波形図である。
【図２０Ｄ】本発明の実施形態に係るガウシアン及びシャープネスフィルタリングによる動く表示映像の境界部を示す波形図である。
【図２１】図１７に示した本発明の第３実施形態に係る動きフィルタ部を概略的に示すブロック図である。
【図２２】本発明の第３実施形態に係る映像変調部によるデータ変調を示す図である。
【図２３】図５に示した本発明の第３実施形態に係るデータ変換部を概略的に示すブロック図である。
【図２４】図２３に示した高速駆動回路を概略的に示すブロック図である。
【符号の説明】
【０１４３】
１０４  データドライバー
１０６  ゲートドライバー
１０８  タイミングコントローラ
１１０  データ変換部  
【図１】
0004823048.tif 000004
【図２】
0004823048.tif 000005
【図３】
0004823048.tif 000006
【図４】
0004823048.tif 000007
【図５】
0004823048.tif 000008
【図６】
0004823048.tif 000009
【図７】
0004823048.tif 000010
【図８】
0004823048.tif 000011
【図９】
0004823048.tif 000012
【図１０】
0004823048.tif 000013
【図１１Ａ】
0004823048.tif 000014
【図１１Ｂ】
0004823048.tif 000015
【図１２Ａ】
0004823048.tif 000016
【図１２Ｂ】
0004823048.tif 000017
【図１３】
0004823048.tif 000018
【図１４】
0004823048.tif 000019
【図１５】
0004823048.tif 000020
【図１６】
0004823048.tif 000021
【図１７】
0004823048.tif 000022
【図１８】
0004823048.tif 000023
【図１９】
0004823048.tif 000024
【図２０Ａ】
0004823048.tif 000025
【図２０Ｂ】
0004823048.tif 000026
【図２０Ｃ】
0004823048.tif 000027
【図２０Ｄ】
0004823048.tif 000028
【図２１】
0004823048.tif 000029
【図２２】
0004823048.tif 000030
【図２３】
0004823048.tif 000031
【図２４】
0004823048.tif 000032